(57)【要約】【課題】液滴の大きさが異なる複数種類の液滴により画像を形成する際に発生する階調飛びを抑制することができる画像処理装置、画像形成装置及びプログラムを提供する。【解決手段】画像形成装置１０は、画像データに対し階調補正を行う階調補正部７０と、着弾する液滴の大きさが異なる複数種類の液滴により画像を形成するための網点画像データであり、かつ、該複数種類の液滴のうちの一種類の液滴又は該複数種類の液滴のうちの二以上の種類の液滴の組み合わせに対して割り当てられた、入力濃度値に対する液滴の使用範囲に従って画像を形成するための網点画像データを、階調補正部７０により補正された画像データから生成する網点画像データ生成部７２とを有し、網点画像データ生成部７２は、入力濃度値の変化に対する出力濃度値の変化が滑らかになるように調整された液滴の使用範囲に従って網点画像データを生成する。【選択図】図３
2015076662.tif 000002
【特許請求の範囲】
【請求項１】
画像データに対し階調補正を行う階調補正手段と、
着弾する液滴の大きさが異なる複数種類の液滴により画像を形成するための網点画像データであり、かつ、該複数種類の液滴のうちの一種類の液滴又は該複数種類の液滴のうちの二以上の種類の液滴の組み合わせに対して割り当てられた、入力濃度値に対する液滴の使用範囲に従って画像を形成するための網点画像データを、前記階調補正手段により補正された画像データから生成する網点画像データ生成手段と
を有し、
前記網点画像データ生成手段は、入力濃度値の変化に対する出力濃度値の変化が滑らかになるように調整された液滴の使用範囲に従って網点画像データを生成する
画像処理装置。
【請求項２】
入力濃度値に対する液滴の使用範囲は、予め定められた一方の仮の使用範囲と予め定められた他方の仮の使用範囲との境界部分の一方の仮の使用範囲側における入力濃度値の予め定められた変化量に対する出力濃度値の変化量と、該境界部分の他方の仮の使用範囲側における入力濃度値の予め定められた変化量に対する出力濃度値の変化量との差が、変更前よりも小さくなる方向へ境界を変更することにより調整される
請求項１記載の画像処理装置。
【請求項３】
画像データに対し階調補正を行う階調補正手段と、
着弾する液滴の大きさが異なる複数種類の液滴により画像を形成するための網点画像データであり、かつ、該複数種類の液滴のうちの一種類の液滴又は該複数種類の液滴のうちの二以上の種類の液滴の組み合わせに対して割り当てられた、入力濃度値に対する液滴の使用範囲に従って画像を形成するための網点画像データを、前記階調補正手段により補正された画像データから生成する網点画像データ生成手段と、
前記網点画像データ生成手段により生成された網点画像データに基づいて着弾する液滴の大きさが異なる複数種類の液滴により画像を形成する画像形成手段と
を有し、
前記網点画像データ生成手段は、入力濃度値の変化に対する出力濃度値の変化が滑らかになるように調整された液滴の使用範囲に従って網点画像データを生成する
画像形成装置。
【請求項４】
入力濃度値に対する液滴の予め定められた仮の使用範囲に基づいて、着弾する液滴の大きさが異なる複数種類の液滴による出力を自装置により行った結果である入力濃度値ごとの出力濃度値を取得する出力濃度値取得手段と、
前記出力濃度値取得手段が取得した入力濃度値ごとの出力濃度値を用いて、予め定められた一方の仮の使用範囲と予め定められた他方の仮の使用範囲との境界部分の一方の仮の使用範囲側における入力濃度値の予め定められた変化量に対する出力濃度値の変化量と、該境界部分の他方の仮の使用範囲側における入力濃度値の予め定められた変化量に対する出力濃度値の変化量との差が、変更前よりも小さくなる方向へ境界を変更することにより液滴の使用範囲を調整する使用範囲調整手段と
をさらに有し、
前記網点画像データ生成手段は、前記使用範囲調整手段により調整された使用範囲に従って網点画像データを生成する
請求項３記載の画像形成装置。
【請求項５】
入力濃度値に対する液滴の予め定められた仮の使用範囲を前記使用範囲調整手段により調整された使用範囲に変更した場合の出力特性を予測する出力特性予測手段と、
前記出力特性予測手段により予測された出力特性に基づいて、前記階調補正手段による補正の補正係数を設定する補正係数設定手段と
を有する請求項４記載の画像形成装置。
【請求項６】
画像データに対し階調補正を行う階調補正ステップと、
着弾する液滴の大きさが異なる複数種類の液滴により画像を形成するための網点画像データであり、かつ、該複数種類の液滴のうちの一種類の液滴又は該複数種類の液滴のうちの二以上の種類の液滴の組み合わせに対して割り当てられた、入力濃度値に対する液滴の使用範囲に従って画像を形成するための網点画像データを、前記階調補正ステップで補正された画像データから生成する網点画像データ生成ステップと
をコンピュータに実行させ、
前記網点画像データ生成ステップでは、入力濃度値の変化に対する出力濃度値の変化が滑らかになるように調整された液滴の使用範囲に従って網点画像データを生成する
プログラム。
【発明の詳細な説明】
【技術分野】
【０００１】
本発明は、画像処理装置、画像形成装置及びプログラムに関する。
【背景技術】
【０００２】
特許文献１は、互いにサイズの異なるｎ種類（ｎは２以上の自然数）のドットでの画素形成が可能な記録装置において画像形成される多値の画像データを作成する画像データ作成装置であって、それぞれが前記ｎ種類のドットのいずれかと対応づけられた互いに異なるｎ個の閾値マトリクスデータを記憶する記憶手段と、元画像データと前記ｎ個の閾値マトリクスデータのそれぞれとを比較して前記多値の画像データを取得する多値画像データ取得手段と、を備えることを特徴とする画像データ作成装置について開示している。
【先行技術文献】
【特許文献】
【０００３】
【特許文献１】特開２０１１−２９９７９号公報
【発明の概要】
【発明が解決しようとする課題】
【０００４】
本発明の目的は、着弾する液滴の大きさが異なる複数種類の液滴により画像を形成する際に発生する階調飛びを抑制することができる画像処理装置、画像形成装置及びプログラムを提供することである。
【課題を解決するための手段】
【０００５】
請求項１に係る本発明は、画像データに対し階調補正を行う階調補正手段と、着弾する液滴の大きさが異なる複数種類の液滴により画像を形成するための網点画像データであり、かつ、該複数種類の液滴のうちの一種類の液滴又は該複数種類の液滴のうちの二以上の種類の液滴の組み合わせに対して割り当てられた、入力濃度値に対する液滴の使用範囲に従って画像を形成するための網点画像データを、前記階調補正手段により補正された画像データから生成する網点画像データ生成手段とを有し、前記網点画像データ生成手段は、入力濃度値の変化に対する出力濃度値の変化が滑らかになるように調整された液滴の使用範囲に従って網点画像データを生成する画像処理装置である。
【０００６】
請求項２に係る本発明は、入力濃度値に対する液滴の使用範囲は、予め定められた一方の仮の使用範囲と予め定められた他方の仮の使用範囲との境界部分の一方の仮の使用範囲側における入力濃度値の予め定められた変化量に対する出力濃度値の変化量と、該境界部分の他方の仮の使用範囲側における入力濃度値の予め定められた変化量に対する出力濃度値の変化量との差が、変更前よりも小さくなる方向へ境界を変更することにより調整される請求項１記載の画像処理装置である。
【０００７】
請求項３に係る本発明は、画像データに対し階調補正を行う階調補正手段と、着弾する液滴の大きさが異なる複数種類の液滴により画像を形成するための網点画像データであり、かつ、該複数種類の液滴のうちの一種類の液滴又は該複数種類の液滴のうちの二以上の種類の液滴の組み合わせに対して割り当てられた、入力濃度値に対する液滴の使用範囲に従って画像を形成するための網点画像データを、前記階調補正手段により補正された画像データから生成する網点画像データ生成手段と、前記網点画像データ生成手段により生成された網点画像データに基づいて着弾する液滴の大きさが異なる複数種類の液滴により画像を形成する画像形成手段とを有し、前記網点画像データ生成手段は、入力濃度値の変化に対する出力濃度値の変化が滑らかになるように調整された液滴の使用範囲に従って網点画像データを生成する画像形成装置である。
【０００８】
請求項４に係る本発明は、入力濃度値に対する液滴の予め定められた仮の使用範囲に基づいて、着弾する液滴の大きさが異なる複数種類の液滴による出力を自装置により行った結果である入力濃度値ごとの出力濃度値を取得する出力濃度値取得手段と、前記出力濃度値取得手段が取得した入力濃度値ごとの出力濃度値を用いて、予め定められた一方の仮の使用範囲と予め定められた他方の仮の使用範囲との境界部分の一方の仮の使用範囲側における入力濃度値の予め定められた変化量に対する出力濃度値の変化量と、該境界部分の他方の仮の使用範囲側における入力濃度値の予め定められた変化量に対する出力濃度値の変化量との差が、変更前よりも小さくなる方向へ境界を変更することにより液滴の使用範囲を調整する使用範囲調整手段とをさらに有し、前記網点画像データ生成手段は、前記使用範囲調整手段により調整された使用範囲に従って網点画像データを生成する請求項３記載の画像形成装置である。
【０００９】
請求項５に係る本発明は、入力濃度値に対する液滴の予め定められた仮の使用範囲を前記使用範囲調整手段により調整された使用範囲に変更した場合の出力特性を予測する出力特性予測手段と、前記出力特性予測手段により予測された出力特性に基づいて、前記階調補正手段による補正の補正係数を設定する補正係数設定手段とを有する請求項４記載の画像形成装置である。
【００１０】
請求項６に係る本発明は、画像データに対し階調補正を行う階調補正ステップと、着弾する液滴の大きさが異なる複数種類の液滴により画像を形成するための網点画像データであり、かつ、該複数種類の液滴のうちの一種類の液滴又は該複数種類の液滴のうちの二以上の種類の液滴の組み合わせに対して割り当てられた、入力濃度値に対する液滴の使用範囲に従って画像を形成するための網点画像データを、前記階調補正ステップで補正された画像データから生成する網点画像データ生成ステップとをコンピュータに実行させ、前記網点画像データ生成ステップでは、入力濃度値の変化に対する出力濃度値の変化が滑らかになるように調整された液滴の使用範囲に従って網点画像データを生成するプログラムである。
【発明の効果】
【００１１】
請求項１に係る本発明によれば、本構成を有しない場合に比較して、着弾する液滴の大きさが異なる複数種類の液滴により画像を形成する際に発生する階調飛びを抑制することができる画像処理装置を提供することができる。
【００１２】
請求項２に係る本発明によれば、本構成を有しない場合に比較して、着弾する液滴の大きさが異なる複数種類の液滴により画像を形成する際に発生する階調飛びを抑制することができる画像処理装置を提供することができる。
【００１３】
請求項３に係る本発明によれば、本構成を有しない場合に比較して、着弾する液滴の大きさが異なる複数種類の液滴により画像を形成する際に発生する階調飛びを抑制することができる画像形成装置を提供することができる。
【００１４】
請求項４に係る本発明によれば、請求項３に係る本発明の効果に加え、階調飛びを抑制するよう当該画像形成装置に適した調整を行うことができる画像形成装置を提供することができる。
【００１５】
請求項５に係る本発明によれば、請求項４に係る本発明の効果に加え、液滴の使用範囲の調整後の当該画像形成装置の入力濃度値ごとの出力濃度値を取得しなくても、補正に用いる補正係数を得ることができる画像形成装置を提供することができる。
【００１６】
請求項６に係る本発明によれば、本構成を有しない場合に比較して、着弾する液滴の大きさが異なる複数種類の液滴により画像を形成する際に発生する階調飛びを抑制することができるプログラムを提供することができる。
【図面の簡単な説明】
【００１７】
【図１】本発明の実施形態に係る画像形成装置１０を示す模式図である。
【図２】本発明の実施形態に係る情報処理部５０のハードウェア構成を示すブロック図である。
【図３】プログラムが実行されることにより実現される情報処理部５０の機能構成を示すブロック図である。
【図４】小滴、中滴、大滴の３種類のインクを例に、入力濃度値Ｃｉｎに対する出力濃度値Ｄｏｕｔを表したグラフであり、（ａ）は小滴の出力特性の一例を示し、（ｂ）は中滴の出力特性の一例を示し、（ｃ）は大滴の出力特性の一例を示している。
【図５】（ａ）は、図４に示した出力特性を有する小滴、中滴、大滴について最大濃度比で使用範囲を割り当てた場合の全体の出力特性を示すグラフであり、（ｂ）は（ａ）で示される出力特性に対しＴＲＣによる階調補正を適用した場合の出力特性を示すグラフである。
【図６】入力濃度値の変化に対する出力濃度値の変化が滑らかになるような使用範囲の調整について説明する模式図である。
【図７】小滴、中滴、大滴を使用する際の使用範囲の境界Ｘ１及びＸ２とＸ１及びＸ２に関する計算例をＹ，Ｍ，Ｃ，Ｋの色成分ごとに示した表であり、（ａ）は最大濃度比に応じた使用範囲の割り当てを行った場合の境界Ｘ１及びＸ２を示し、（ｂ）は傾きＳ_Ｈｉｇｈ，Ｍ_Ｌｏｗ，Ｍ_Ｈｉｇｈ，Ｌ_Ｌｏｗについての算出例を示し、（ｃ）は基準値ＳＶ，小滴エリア率，中大滴エリア率，小中滴エリア率の算出例を示し、（ｄ）は調整後の使用範囲の境界Ｘ１及びＸ２を示している。
【図８Ａ】図７（ａ）で示した最大濃度比に応じた使用範囲の割り当てを行った場合のイエロー（Ｙ）についての出力特性と、図７（ｄ）で示した本実施形態における使用範囲の割り当てを行った場合のイエロー（Ｙ）についての出力特性とを図示したグラフである。
【図８Ｂ】図７（ａ）で示した最大濃度比に応じた使用範囲の割り当てを行った場合のマゼンタ（Ｍ）についての出力特性と、図７（ｄ）で示した本実施形態における使用範囲の割り当てを行った場合のマゼンタ（Ｍ）についての出力特性とを図示したグラフである。
【図８Ｃ】図７（ａ）で示した最大濃度比に応じた使用範囲の割り当てを行った場合のシアン（Ｃ）についての出力特性と、図７（ｄ）で示した本実施形態における使用範囲の割り当てを行った場合のシアン（Ｃ）についての出力特性とを図示したグラフである。
【図８Ｄ】図７（ａ）で示した最大濃度比に応じた使用範囲の割り当てを行った場合のブラック（Ｋ）についての出力特性と、図７（ｄ）で示した本実施形態における使用範囲の割り当てを行った場合のブラック（Ｋ）についての出力特性とを図示したグラフである。
【図９】本発明の実施形態の変形例に係る画像形成装置１０において、プログラムが実行されることにより実現される情報処理部５０の機能構成を示すブロック図である。
【図１０】変形例における画像形成装置１０の動作の一例を示すフローチャートである。
【図１１】画像形成装置１０における画像形成動作の一例を示すフローチャートである。
【図１２】インクの使用範囲を、入力濃度値の変化に対する出力濃度値の変化が滑らかになるように調整した際のＴＲＣを用いた階調補正について説明する模式図であり、（ａ）は入力濃度値の変化に対する出力濃度値の変化が滑らかになるように使用範囲を調整した場合の出力特性を示し、（ｂ）は（ａ）に対してＴＲＣを用いた階調特性を行った場合の出力特性を示している。
【発明を実施するための形態】
【００１８】
本発明の実施形態について図面を参照して説明する。
図１は、本発明の実施形態に係る画像形成装置１０を示す模式図である。
画像形成装置１０は、インクジェット方式のもので、画像形成装置本体１２内には、記録媒体搬送系１４と印字部１６とが設けられている。
【００１９】
記録媒体搬送系１４は、記録媒体を多数積層して収容する記録媒体収容部１８を有する。この記録媒体収容部１８に収容された最上位の記録媒体はピックアップロール２０により送り出される。ピックアップロール２０により送り出された記録媒体は、複数の搬送ロール２２により搬送ベルト２４へと搬送される。この搬送ベルト２４の上方に印字部１６が配置されている。この印字部１６により印字された記録媒体は、剥離部２６により剥離され、さらに複数の搬送ロール２２により排出部２８へ排出される。
【００２０】
印字部１６は、例えば４つの印字ヘッド３０〜３６を有する。４つの印字ヘッド３０〜３６は、それぞれシアン用、マゼンダ用、イエロー用、ブラック用のもので、これらが順次並べられており、各色の液滴（インク）を吐出する。各印字ヘッド３０〜３６は、制御信号に応じて液滴を記録媒体に吐出することにより画像を形成するようにしてある。また、それぞれの吐出口に対応して図示しない駆動素子が設けられている。駆動素子は、例えば、ピエゾ素子等の圧電素子や抵抗等の発熱素子であり、この駆動素子が画像信号又は非画像信号に応じて駆動し、インクに物理的な圧力又は泡による圧力などを与えて吐出口からインクを吐出させる。
【００２１】
ここで、印字ヘッド３０〜３６は、駆動素子を制御することにより、例えば、大滴、中滴、小滴などのように、着弾する液滴の大きさが異なる複数種類の液滴を打ち分けできるよう構成されている。なお、本実施形態では、大滴、中滴、小滴の３種類の液滴を例に説明するが、着弾する液滴の大きさが異なる複数種類であればよく、３種類には限定しない。
【００２２】
また、印字ヘッド３０〜３６による液滴（インク）の吐出に際しては、後述する情報処理部５０による制御によって、いずれの印字ヘッドによりいずれのタイミングでいずれの大きさのインクを吐出するかが、入力画像データから生成された後述する網点画像データに基づいて決定され、画像が形成される。
【００２３】
また、画像形成装置本体１２の上部には、ユーザインタフェース装置４０が設けられている。このユーザインタフェース装置４０は、画像形成装置１０を操作する上での情報を表示すると共に、操作情報を受け付けるようになっている。
【００２４】
情報処理部５０は、画像処理の実施及び画像形成の制御を行なう機能を有する。以下、情報処理部５０の構成について説明する。
【００２５】
図２は、情報処理部５０のハードウェア構成を示すブロック図である。
情報処理部５０は、図２に示されるように、ＣＰＵ５２、メモリ５４、ハードディスクドライブ（ＨＤＤ）等の記憶装置５６、他の機器等との間でデータの送信及び受信を行う通信インタフェース（ＩＦ）５８、ユーザインタフェース装置４０を制御するユーザインタフェース制御部６０を有する。これらの構成要素は、制御バス６２を介して互いに接続されている。
【００２６】
ＣＰＵ５２は、メモリ５４または記憶装置５６に格納されたプログラムに基づいて所定の処理を実行して、画像形成装置１０の動作を制御する。なお、本実施形態では、ＣＰＵ５２は、メモリ５４または記憶装置５６内に格納されたプログラムを読み出して実行するものとして説明したが、当該プログラムをＣＤ−ＲＯＭ等の記憶媒体に格納してＣＰＵ５２に提供したり、通信ＩＦ５８を介してＣＰＵ５２に提供したりすることも可能である。
【００２７】
メモリ５４または記憶装置５６には、例えば、画像形成装置１０に入力された画像データ（入力画像）、入力画像について網点画像データを生成するために用いる閾値マトリクスのデータなどが記憶される。
【００２８】
図３は、上記のプログラムが実行されることにより実現される情報処理部５０の機能構成を示すブロック図である。なお、図３に示される構成の一部又は全ては、ＡＳＩＣ，ＦＰＧＡなどのハードウェアにより実現されてもよい。
【００２９】
画像形成装置１０には、例えば０〜２５５の階調値で表された画像データが入力される。本実施形態では、画像形成装置１０に対し、Ｙ（イエロー）、Ｍ（マゼンタ）、Ｃ（シアン）、Ｋ（ブラック）の各色で構成されるカラー画像が入力される。なお、入力画像として、モノクロ画像が入力されてもよい。またＲＧＢ色空間で表現された画像データが入力されてもよい。なお、ＲＧＢ値で表される画像データが入力された場合には、例えば、後述する階調補正部７０による補正処理の前に、ＲＧＢ色空間で表現された画像データをＹＭＣＫ色空間で表された画像データに変換する色変換処理を行うよう構成する。
【００３０】
階調補正部７０は、画像形成装置１０が受付けた入力画像の階調値を補正する補正処理を行う。本実施形態では、トーン再現曲線（ＴＲＣ；Ｔｏｎｅ Ｒｅｐｒｏｄｕｃｔｉｏｎ Ｃｕｒｖｅ）を用いる階調補正を色成分ごとに行う。
【００３１】
ＴＲＣは、画像形成装置１０が有する階調再現性を表し、画像形成装置１０に対する入力濃度値Ｃｉｎと、入力濃度値に基づいて画像形成装置１０がプリントする出力画像の濃度値である出力濃度値Ｄｏｕｔとの関係を示す曲線である。ＴＲＣは非線形であるので、ＴＲＣを用いる階調補正は非線形処理となる。
【００３２】
例えば、非線形処理前のデータと非線形処理後のデータとを対応付けたＬＵＴを補正係数として色成分ごとに予め作成し、非線形処理前のデータをＬＵＴ変換することにより、非線形処理後のデータを取得することにより階調補正を実現する。このように階調補正を行うことにより、入力濃度値Ｃｉｎに対する出力濃度値Ｄｏｕｔが線形となるようにする。
【００３３】
なお、本実施形態では、階調補正部７０による補正として、トーン再現曲線を用いる補正を例に説明するが、これ以外の非線形処理であってもかまわない。
【００３４】
網点画像データ生成部７２は、階調補正部７０により補正された入力画像に対し、スクリーン処理を行い、着弾する液滴の大きさが異なる複数種類の液滴により画像を形成するための網点画像データを色成分ごとに生成する。網点画像データを構成する各値は、着弾する液滴の大きさが異なる複数種類の液滴のいずれかと対応付けられた値により表される。例えば、大滴を吐出することを示す値として３、中滴を吐出することを示す値として２、小滴を吐出することを示す値として１、吐出しないことを示す値として０を用いた網点画像データが生成される。
【００３５】
具体的には、例えば、階調補正部７０により補正された入力画像の階調値と、予め記憶された閾値マトリクスで示される閾値とを比較し、階調値が閾値を超えるか否かを判定する。ここで、比較対象となる閾値マトリクスは、予め定められた大きさのマトリクスとして構成されており、液滴の種類ごとに設けられている。入力画像の階調値は、液滴の種類ごとに設けられた各閾値マトリクスの閾値とそれぞれ比較される。大滴、中滴、小滴の３種類を吐出して画像形成する場合、大滴用の閾値マトリクス、中滴用の閾値マトリクス及び小滴用の閾値マトリクスとそれぞれ比較することとなる。
【００３６】
閾値マトリクスで示された閾値を超える場合には、当該液滴を吐出するものとして判定され、閾値マトリクスで示された閾値を超えない場合には、当該液滴を吐出しないものとして判定される。ただし、各閾値マトリクスとの比較の結果、複数種の液滴について吐出するものとして判定された場合には、一番大きい液滴での吐出を行うものとする。例えば、ある画素の形成について小滴及び中滴を吐出するよう、閾値マトリクスとの比較から判定された場合、中滴を吐出するものとする。このようにして、大滴により画素を形成するのか、中滴により画素を形成するのか、小滴により画素を形成するのか、それとも吐出はしないのかを判定し、判定結果に対応する数値（ここでは、０〜３）により構成される網点画像データを生成する。以上の処理を入力画像の色成分ごとに行なう。
【００３７】
ここで、閾値マトリクスに含まれる閾値は、複数種類の液滴のうちの一種類の液滴又二以上の種類の液滴の組み合わせに対して割り当てられた、入力濃度値に対する液滴の使用範囲に対応している。
【００３８】
例えば、０〜２５５の範囲のうちいずれかの階調値で入力画像の階調値が表される場合において、０〜１２７で表される入力濃度値が小滴だけの使用範囲として割り当てられており（つまり、入力濃度値が０〜１２７の場合、小滴だけで当該画素を形成する）、１２７〜１９１で表される入力濃度値が小滴及び中滴の使用範囲として割り当てられており（つまり、入力濃度値が１２７〜１９１の場合、小滴及び中滴で当該画素を形成する）、１９１〜２５５で表される入力濃度値が中滴及び大滴の使用範囲として割り当てられているものとする（つまり、入力濃度値が１９１〜２５５の場合、中滴及び大滴で当該画素を形成する）と仮定する。
【００３９】
この場合、小滴用閾値マトリクスには０〜１２７の値のいずれかが閾値として用いられており、中滴用閾値マトリクスには１２７〜１９１の値のいずれかが閾値として用いられており、大滴用閾値マトリクスには１９１〜２５５の値のいずれかが閾値として用いられて閾値マトリクスが構成されている。
【００４０】
以下、小滴だけが使用される入力濃度値の範囲を小滴エリア、小滴及び中滴が使用される入力濃度値の範囲を小中滴エリア、中滴及び大滴が使用される入力濃度値の範囲を中大滴エリアということがある。なお、小滴エリアでは入力濃度値の小滴エリア内の下限から上限への推移に対し小滴の出力は小滴０％の出力濃度値から小滴１００％の出力濃度値へと推移する。また、小中滴エリアでは入力濃度値の小中滴エリア内の下限から上限への推移に対し小滴の出力は小滴１００％の出力濃度値から小滴０％の出力濃度値へと推移し、中滴の出力は中滴０％の出力濃度値から中滴１００％の出力濃度値へと推移する。また、中大滴エリアでは入力濃度値の中大滴エリア内の下限から上限への推移に対し中滴の出力は中滴１００％の出力濃度値から中滴０％の出力濃度値へと推移し、大滴の出力は大滴０％の出力濃度値から大滴１００％の出力濃度値へと推移する。
【００４１】
このように網点画像データ生成部７２は、複数種類の液滴のうちの一種類の液滴又は複数種類の液滴のうちの二以上の種類の液滴の組み合わせに対して割り当てられた、入力濃度値に対する液滴の使用範囲に従って画像を形成するための網点画像データを生成する。ここで、網点画像データ生成部７２は、後述するように、入力濃度値の変化に対する出力濃度値の変化が滑らかになるように調整された液滴の使用範囲に従って網点画像データを生成する。
【００４２】
画像形成制御部７４は、網点画像データ生成部７２により生成された色成分ごとの網点画像データに従って印字ヘッド３０〜３６によるインク吐出を行って画像を形成するよう画像形成処理を制御する。
【００４３】
以上説明したように、情報処理部５０は、入力画像に対し、階調補正処理及び網点画像データ生成処理を行う画像処理装置としての機能を有している。
【００４４】
次に、各種類のインクの吐出の出力特性及びこれら各種類のインクを使用範囲に応じて使い分ける際の出力特性について説明する。
【００４５】
図４は、小滴、中滴、大滴の３種類のインクを例に、入力濃度値Ｃｉｎに対する出力濃度値Ｄｏｕｔを表したグラフであり、図４（ａ）は小滴の出力特性の一例を示し、図４（ｂ）は中滴の出力特性の一例を示し、図４（ｃ）は大滴の出力特性の一例を示している。
【００４６】
ここでは、本実施形態における使用範囲の割り当てに対する比較例として、最大濃度比に応じた使用範囲の割り当てを行った場合の出力特性について説明する。最大濃度比による使用範囲の割り当てでは、各種類のインクにおける最大濃度の比に従って、インクの使用範囲が決定される。例えば、小滴の入力濃度値１００％に対する小滴の出力濃度値をＩｓ、中滴の入力濃度値１００％に対する中滴の出力濃度値をＩｍ、大滴の入力濃度値１００％に対する大滴の出力濃度値をＩｌとした場合、最大濃度比による使用範囲の決定では、小滴エリアと小中滴エリアの境界Ｘ１をＩｓ／Ｉｌ×１００（％）とし、小中滴エリアと中大滴エリアとの境界Ｘ２をＩｍ／Ｉｌ×１００（％）とする。
【００４７】
図５（ａ）は、図４に示した出力特性を有する小滴、中滴、大滴について最大濃度比で使用範囲を割り当てた場合の全体の出力特性を示すグラフであり、図５（ｂ）は図５（ａ）で示される出力特性に対しＴＲＣによる階調補正を適用した場合の出力特性を示すグラフである。
【００４８】
図５（ａ）で示される出力特性に示されるように、最大濃度比により各種のインクを使い分けた場合、入力濃度値０％における出力濃度値、入力濃度値Ｘ１における出力濃度値、入力濃度値Ｘ２における出力濃度値及び入力濃度値１００％における出力濃度値が直線状に並ぶような出力特性が実現される。ここで、比較例としてあげた最大濃度比による使用範囲の割り当てでは、入力濃度値Ｘ１及びＸ２の前後で、出力特性のグラフの傾き（入力濃度値の予め定められた変化量に対する出力濃度値の変化量）が、急峻に変化する場合がある。以下、出力特性上において急峻な傾きの変化が生じる点を特異点と呼ぶ。なお、特異点は、入力濃度値の予め定められた変化量に対する出力濃度値の変化量が、予め定められた基準よりも大きく変化する点として定義されてもよい。
【００４９】
このような特異点を有する出力特性に対しては、図５（ｂ）で示されるように、ＴＲＣによる階調補正を行っても特異点を除去することができず、特異点における階調飛びが発生することとなる。なお、ＴＲＣによる階調補正が特異点を除去できない理由としては、ＴＲＣによる階調補正ではロバスト性を考慮してスムージングをかけるよう補正係数を定めるため、補正対象の出力特性に対する完全な逆特性を実現することが難しいことなどに起因している。
【００５０】
以上のように本実施形態の比較例として例に挙げた最大濃度比によるインクの使用範囲の割り当てなどでは、特異点を有することによる階調飛びが発生する可能性がある。
【００５１】
これに対し、本実施形態では、上述の通り、入力濃度値の変化に対する出力濃度値の変化が滑らかになるように使用範囲を調整し、特異点による階調飛びの発生を低減する。
【００５２】
以下、入力濃度値の変化に対する出力濃度値の変化が滑らかになるような使用範囲の調整についての一例を具体例に基づいて説明する。
図６は、入力濃度値の変化に対する出力濃度値の変化が滑らかになるような使用範囲の調整について説明する模式図である。
【００５３】
まず、予め定められた仮の使用範囲に基づく各インクの出力特性を取得する。図６に示す例では、仮の使用範囲として、小滴エリアを０〜３３．３％とし、小中滴エリアを３３．３〜６６．６％とし、中大滴エリアを６６．６〜１００％とした場合の出力特性を示している。したがって、図６で示した例では、小滴エリア、小中滴エリア、中大滴エリアの３つの使用範囲の境界は、３３．３％及び６６．６％である。ここで、仮の使用範囲に基づく各インクの出力特性では、使用範囲の境界部分において特異点が生じている可能性がある。
【００５４】
次に、一方の仮の使用範囲と他方の仮の使用範囲との境界部分の一方の仮の使用範囲側における出力特性の傾き（入力濃度値の予め定められた変化量に対する出力濃度値の変化量）と、境界部分の他方の仮の使用範囲側における出力特性の傾きとの差が、小さくなる方向へ境界を変更することにより使用範囲の調整を行う。
【００５５】
図６を例に説明すると、一方の仮の使用範囲である小滴エリアと他方の仮の使用範囲である小中滴エリアとの境界部分の小滴エリア側における出力特性の傾きと、小中滴エリア側における出力特性の傾きとの差が、小さくなる方向へ境界を変更することにより使用範囲の調整を行う。また、一方の仮の使用範囲である小中滴エリアと他方の仮の使用範囲である中大滴エリアとの境界部分の小中滴エリア側における出力特性の傾きと、中大滴エリア側における出力特性の傾きとの差が、小さくなる方向へ境界を変更することにより使用範囲の調整を行う。つまり、境界部分の前後の傾きが直線に近づくように調整を行う。
【００５６】
具体的には、例えば、以下のようにして使用範囲の調整を行い、調整後の使用範囲の境界Ｘ１及びＸ２を求める。
【００５７】
仮の使用範囲に基づく出力特性における各点（Ｃ１，Ｄ１），（Ｃ２，Ｄ２），（Ｃ３，Ｄ３），（Ｃ４，Ｄ４），（Ｃ５，Ｄ５），（Ｃ６，Ｄ６）に基づいて、以下の計算を行う。ここで、（Ｃ２，Ｄ２）及び（Ｃ５，Ｄ５）は、小滴エリアと小中滴エリアの境界部分の点、小中滴エリアと中大滴エリアの境界部分の点をそれぞれ表しており、ここではＣ２＝３３．３％、Ｃ５＝６６．６％である。また、（Ｃ１，Ｄ１）及び（Ｃ３，Ｄ３）は、小滴エリアと小中滴エリアの境界部分から入力濃度値の軸方向に予め定められた変化量だけ離れた点であり、Ｃ２−Ｃ１＝Ｃ３−Ｃ２である。同様に、（Ｃ４，Ｄ４）及び（Ｃ６，Ｄ６）は、小中滴エリアと中大滴エリアの境界部分から入力濃度値の軸方向に予め定められた変化量だけ離れた点であり、Ｃ５−Ｃ４＝Ｃ６−Ｃ５である。
【００５８】
まず、小滴エリアと小中滴エリアとの境界部分の小滴エリア側における出力特性の傾きＳ_Ｈｉｇｈ、小中滴エリア側における出力特性の傾きＭ_Ｌｏｗ、小中滴エリアと中大滴エリアとの境界部分の小中滴エリア側における出力特性の傾きＭ_Ｈｉｇｈ、中大滴エリア側における出力特性の傾きＬ_Ｌｏｗを以下の式（１）〜（４）のようにそれぞれ求める。
【００５９】
Ｓ_Ｈｉｇｈ＝（Ｄ２−Ｄ１）／（Ｃ２−Ｃ１）・・・（１）
Ｍ_Ｌｏｗ＝（Ｄ３−Ｄ２）／（Ｃ３−Ｃ２）・・・（２）
Ｍ_Ｈｉｇｈ＝（Ｄ５−Ｄ４）／（Ｃ５−Ｃ４）・・・（３）
Ｌ_Ｌｏｗ＝（Ｄ６−Ｄ５）／（Ｃ６−Ｃ５）・・・（４）
【００６０】
次に、全エリアの基準値ＳＶを以下の式（５）のように求める。
【００６１】
ＳＶ＝（Ｓ_Ｈｉｇｈ／Ｍ_Ｌｏｗ）＋１＋（Ｌ_Ｌｏｗ／Ｍ_Ｈｉｇｈ）・・・（５）
【００６２】
ここで、（Ｓ_Ｈｉｇｈ／Ｍ_Ｌｏｗ）及び（Ｌ_Ｌｏｗ／Ｍ_Ｈｉｇｈ）は、それぞれ小中滴エリア側の傾きを基準として他エリア側の傾きがどれだけ差異があるのか（特異度合い）を示している。そして、基準値ＳＶは、小中滴エリアにおける傾きの特異度合いを基準（＝１）として、全エリアの特異度合いを示している。
【００６３】
そして、次のように、小滴エリアの使用範囲幅を示す小滴エリア率、小中滴エリアの使用範囲幅を示す小中滴エリア率、中大滴エリアの使用範囲幅を示す中大滴エリア率をそれぞれ求める。
【００６４】
小滴エリア率＝（Ｓ_Ｈｉｇｈ／Ｍ_Ｌｏｗ）／ＳＶ・・・（６）
中大滴エリア率＝（Ｌ_Ｌｏｗ／Ｍ_Ｈｉｇｈ）／ＳＶ・・・（７）
小中滴エリア率＝１−小滴エリア率−中大滴エリア率・・・（８）
【００６５】
最後に、調整後の使用範囲の境界Ｘ１（小滴エリアと小中滴エリアの境界）及びＸ２（小中滴エリアと中大滴エリアの境界）を以下のように求める。
【００６６】
Ｘ１＝小滴エリア率（％）・・・（９）
Ｘ２＝１−中大滴エリア率（％）・・・（１０）
【００６７】
このように、仮の使用範囲における全エリアの特異度合いに対する当該境界部分の特異度合いに応じて、使用範囲の境界を入力濃度値の軸方向に移動させるよう調整し、入力濃度値の変化に対する出力濃度値の変化が滑らかになるようにする。
【００６８】
図７は、小滴、中滴、大滴を使用する際の使用範囲の境界Ｘ１及びＸ２及び上述の計算例をＹ，Ｍ，Ｃ，Ｋの色成分ごとに示した表である。図７（ａ）は最大濃度比に応じた使用範囲の割り当てを行った場合の境界Ｘ１及びＸ２を示し、図７（ｂ）は傾きＳ_Ｈｉｇｈ，Ｍ_Ｌｏｗ，Ｍ_Ｈｉｇｈ，Ｌ_Ｌｏｗについての算出例を示し、図７（ｃ）は基準値ＳＶ，小滴エリア率，中大滴エリア率，小中滴エリア率の算出例を示し、図７（ｄ）は調整後の使用範囲の境界Ｘ１及びＸ２を示している。
【００６９】
また、図８Ａ〜図８Ｄは、それぞれ、図７（ａ）で示した最大濃度比に応じた使用範囲の割り当てを行った場合の出力特性と、図７（ｄ）で示した本実施形態における使用範囲の割り当てを行った場合の出力特性とを図示したグラフであり、図８Ａはイエロー（Ｙ）についての出力特性を示し、図８Ｂはマゼンタ（Ｍ）についての出力特性を示し、図８Ｃはシアン（Ｃ）についての出力特性を示し、図８Ｄはブラック（Ｋ）についての出力特性を示している。
【００７０】
なお、図８Ａ〜図８Ｄにおいて、実線で表された出力特性は最大濃度比に応じた使用範囲の割り当てを行った場合の出力特性を表し、破線で表された出力特性は本実施形態における使用範囲の割り当てを行った場合の出力特性を表している。また、Ｘ１'及びＸ２'はそれぞれ最大濃度比に応じた使用範囲の境界を示し、Ｘ１及びＸ２はそれぞれ本実施形態の調整後の使用範囲の境界を示している。
【００７１】
図８Ａ〜図８Ｄからもわかるように、本実施形態における使用範囲の割り当てでは、特異点の特異度合い（境界前後での傾きの差異）が低減される。
【００７２】
このようにして調整された使用範囲に応じた閾値マトリクスが、例えば記憶装置５６又はメモリ５４に記憶され、網点画像データ生成部７２は、この記憶された閾値マトリクスを用いて網点画像データを生成する。
【００７３】
以上、本発明の実施形態に係る画像形成装置１０について説明したが、変形例として画像形成装置１０が上述の使用範囲を算出する機能を有してもよい。
【００７４】
図９は、本発明の実施形態の変形例に係る画像形成装置１０において、プログラムが実行されることにより実現される情報処理部５０の機能構成を示すブロック図である。なお、図９に示される構成の一部又は全ては、ＡＳＩＣ，ＦＰＧＡなどのハードウェアにより実現されてもよい。また、図３に示した構成と実質的に同じ機能を有する構成については同一の符号を付している。
【００７５】
図９に示されるように、変形例では、出力濃度値取得部７６、使用範囲調整部７８、出力特性予測部８０及び補正係数設定部８２が追加されている点で図３に示した構成と異なる。
【００７６】
出力濃度値取得部７６は、入力濃度値に対するインクの予め定められた仮の使用範囲に基づいて、着弾するインクの大きさが異なる複数種類のインクによる出力を自装置により行った結果である入力濃度値ごとの出力濃度値を取得する。例えば、出力濃度値取得部７６は、仮の使用範囲として、小滴エリアを０〜３３．３％とし、小中滴エリアを３３．３〜６６．６％とし、中大滴エリアを６６．６〜１００％とした場合の自装置である画像形成装置１０の出力特性を取得する。なお、出力濃度値取得部７６は、画像形成装置１０に設けられた図示しないスキャナなどの読取装置により自装置による出力結果を読み取って出力特性を取得してもよいし、他の読取装置による読取り結果を受信することにより出力特性を取得してもよい。
【００７７】
使用範囲調整部７８は、出力濃度値取得部７６が取得した入力濃度値ごとの出力濃度値（出力特性）を用いて、入力濃度値の変化に対する出力濃度値の変化が滑らかになるようにインクの使用範囲を調整する。例えば、上述のように、使用範囲調整部７８は、予め定められた一方の仮の使用範囲と予め定められた他方の仮の使用範囲との境界部分の一方の仮の使用範囲側における入力濃度値の予め定められた変化量に対する出力濃度値の変化量と、この境界部分の他方の仮の使用範囲側における入力濃度値の予め定められた変化量に対する出力濃度値の変化量との差が、変更前よりも小さくなる方向へ境界を変更することによりインクの使用範囲を調整する。
【００７８】
なお、網点画像データ生成部７２は、この使用範囲調整部７８により調整された使用範囲に従って網点画像データを生成することとなる。例えば、網点画像データ生成部７２は、使用範囲調整部７８により調整された使用範囲に従った閾値マトリクスを用いて網点画像データを生成する。
【００７９】
出力特性予測部８０は、入力濃度値に対する液滴の予め定められた仮の使用範囲を使用範囲調整部７８により調整された使用範囲に変更した場合の出力特性を予測する。例えば、出力特性予測部８０は、出力濃度値取得部７６が取得した予め定められた仮の使用範囲に基づく出力特性を用い、エリアごとの出力特性の始点又は終点を調整後の境界点へと入力濃度値の軸方向に移動させることにより、調整後の使用範囲における出力特性の予測値を得る。
【００８０】
補正係数設定部８２は、出力特性予測部８０により予測された出力特性に基づいて、階調補正部７０による補正の補正係数を設定する。補正係数設定部８２は、例えば、出力特性予測部８０により予測された出力特性の逆特性となるＴＲＣに対応する補正係数を、階調補正部７０が用いるＬＵＴの補正係数として設定する。
【００８１】
図１０は、変形例における画像形成装置１０の動作の一例を示すフローチャートである。
ステップ１００（Ｓ１００）において、画像形成装置１０は、予め定められた仮の使用範囲に基づいて、入力濃度値が０から１００％までのチャートを出力する。
【００８２】
ステップ１０２（Ｓ１０２）において、出力濃度値取得部７６がステップ１００で出力されたチャートをスキャナなどにより読み取って測定した出力濃度値を取得する。
【００８３】
ステップ１０４（Ｓ１０４）において、使用範囲調整部７８が、出力濃度値取得部７６が取得した入力濃度値ごとの出力濃度値を用いて、入力濃度値の変化に対する出力濃度値の変化が滑らかになるようにインクの使用範囲を調整する。また、調整した使用範囲に応じた閾値マトリクスを、網点画像データ生成部７２により使用される閾値マトリクスとして設定する。
【００８４】
ステップ１０６（Ｓ１０６）において、出力特性予測部８０は、使用範囲調整部７８により調整された使用範囲に変更後の出力特性を予測する。
【００８５】
ステップ１０８（Ｓ１０８）において、補正係数設定部８２は、出力特性予測部８０により予測された出力特性に基づいて、階調補正部７０による補正の補正係数を設定する。
【００８６】
以上、図１０に示した動作では、１度のチャートの出力及び測定により、使用範囲の調整及び補正係数の設定がなされるが、ステップ１０４における使用範囲の調整後、ステップ１０６における出力特性の予測処理の代わりに、調整された使用範囲に基づいて再度チャートを出力及び測定し、得られた出力特性に基づいて補正係数を設定するよう構成してもよい。
【００８７】
次に、画像形成装置１０における画像形成動作について説明する。
図１１は、画像形成装置１０における画像形成動作の一例を示すフローチャートである。
【００８８】
ステップ２００（Ｓ２００）において、画像形成装置１０は、入力画像を受付ける。
【００８９】
ステップ２０２（Ｓ２０２）において、階調補正部７０は、入力画像の階調値を補正する補正処理として、ＴＲＣを用いる階調補正を色成分ごとに行う。
【００９０】
ステップ２０４（Ｓ２０４）において、網点画像データ生成部７２が、階調補正部７０により補正された入力画像に対し、スクリーン処理を行い、着弾する液滴の大きさが異なる複数種類の液滴により画像を形成するための網点画像データを色成分ごとに生成する。
【００９１】
ステップ２０６（Ｓ２０６）において、画像形成制御部７４は、網点画像データ生成部７２により生成された色成分ごとの網点画像データに従って画像を形成するよう制御する。
【００９２】
ここで、ステップ２０２における階調補正では、図１２に示されるように、階調飛びの発生が低減されている。なお、図１２は、インクの使用範囲を、入力濃度値の変化に対する出力濃度値の変化が滑らかになるように調整した際のＴＲＣを用いた階調補正について説明する模式図であり、図１２（ａ）は入力濃度値の変化に対する出力濃度値の変化が滑らかになるように使用範囲を調整した場合の出力特性を示し、図１２（ｂ）は図１２（ａ）に対してＴＲＣを用いた階調特性を行った場合の出力特性を示している。このように、入力濃度値の変化に対する出力濃度値の変化が滑らかになるように使用範囲を調整した場合には、特異点が消滅又は特異度合いが低減し、階調飛びの発生が低減される。
【符号の説明】
【００９３】
１０      画像形成装置
１６      印字部
５０      情報処理部
７０      階調補正部
７２      網点画像データ生成部
７４      画像形成制御部
７６      出力濃度値取得部
７８      使用範囲調整部
８０      出力特性予測部
８２      補正係数設定部
【図１】
2015076662.tif 000003
【図２】
2015076662.tif 000004
【図３】
2015076662.tif 000005
【図４】
2015076662.tif 000006
【図５】
2015076662.tif 000007
【図６】
2015076662.tif 000008
【図７】
2015076662.tif 000009
【図８Ａ】
2015076662.tif 000010
【図８Ｂ】
2015076662.tif 000011
【図８Ｃ】
2015076662.tif 000012
【図８Ｄ】
2015076662.tif 000013
【図９】
2015076662.tif 000014
【図１０】
2015076662.tif 000015
【図１１】
2015076662.tif 000016
【図１２】
2015076662.tif 000017